(57)【要約】【課題】ロック機能および止水機能を共用化することにより、窓部を塞ぐキャップ部材の簡略化を図る。【解決手段】電子機器（携帯端末装置２）が筐体（４）の窓部（１０）に着脱可能なキャップ部材（保護キャップ６）を備える。このキャップ部材（保護キャップ６）を前記窓部（１０）にロックするロック部（２０）に前記窓部（１０）を止水する止水部を共用させている。キャップ部材（保護キャップ６）の少なくともロック部（２０）が止水材料で形成され、窓部（１０）と密着する密着部（４０）を備える。【選択図】図２
2014222732.tif 000002
【特許請求の範囲】
【請求項１】
筐体の窓部に着脱可能なキャップ部材を備える電子機器であって、
前記窓部に前記キャップ部材をロックするロック部に、前記窓部を止水する止水部を共用させた電子機器。
【請求項２】
前記キャップ部材の少なくとも前記ロック部が止水材料で形成され、前記窓部と密着する密着部を備える請求項１に記載の電子機器。
【請求項３】
前記ロック部は、前記窓部を覆う本体部に固定されまたは前記本体部と一体成形されている請求項１または請求項２に記載の電子機器。
【発明の詳細な説明】
【技術分野】
【０００１】
本開示の技術は、携帯端末装置などの電子機器に関する。
【背景技術】
【０００２】
携帯端末装置などの電子機器では、ヘッドセットなどの外部機器と接続するためのコネクタを筐体に備えている。このコネクタを配置した筐体の窓部にはキャップ部材が開閉可能に取り付けられている。このキャップ部材は止水機能やロック機能を有する。
【０００３】
このようなキャップ部材に関し、電子機器の筐体に柔軟性を備えたキャップ部材を着脱可能に備えることが知られている（特許文献１）。また、止水機能に関し、弾性部材と止水部材とを備えることが知られている（特許文献２）。
【先行技術文献】
【特許文献】
【０００４】
【特許文献１】特開平７−２３５８８１号公報
【特許文献２】実開平６−７０２９２号公報
【発明の概要】
【発明が解決しようとする課題】
【０００５】
ところで、電子機器の筐体に形成した窓部をキャップ部材で開閉可能にした構造では、キャップ部材に窓部に対する固定機能および止水機能を備えることが不可欠である。キャップ部材には弾性素材が用いられ、止水構造と固定構造の作成工程を分け、それぞれを異素材で形成している。たとえば、キャップ部材の外観形状部には硬質素材を使用し、この硬質素材に弾性素材を組み合わせて必要な部材を２色成形品で作成する。この２色成形品に、止水構造部を弾性素材で追加成形しまたは部品を追加している。一例として、保持構造部には抜け強度や挿入性の確保のためにエラストマを使用し、止水構造部には潰し性能を実現するためシリコンを使用するなど、各機能に合わせた硬度や強度を備える材料を使用している。
【０００６】
このように異なる素材で形成されるキャップ部材では各部で作成工程が異なり、作成工程毎で成形または取り付ける各部材が異なるため、構成部品が多く、複雑であるため、コスト高で、部品の寸法精度には限界がある。
【０００７】
止水機能とロック機能とを別個の部材で構成するキャップ部材では、止水機能が維持されていても、寸法精度などによりロック機能が低いと、筐体からのキャップ部材の浮きなどを生じ、筐体の止水機能が損なわれる。また、ロック機能が維持されていても、経年劣化などで止水機能が低下すれば、電子機器の信頼性が損なわれる。
【０００８】
斯かるキャップ部材では、斯かるキャップ部材を着脱させる電子機器側の構造が複雑化し、しかも、キャップ部材の設置スペースが大きくなるため、電子機器の小型化や薄型化を妨げる。
【０００９】
そこで、本開示の技術の目的は上記課題に鑑み、ロック機能および止水機能を共用化することにある。
【００１０】
また、本開示の技術の他の目的は、キャップ部材の簡略化を図ることにある。
【課題を解決するための手段】
【００１１】
上記目的を達成するため、本開示の技術の一側面によれば、電子機器が筐体の窓部に着脱可能なキャップ部材を備える。このキャップ部材を前記窓部にロックするロック部に前記窓部を止水する止水部を共用させている。
【発明の効果】
【００１２】
本開示の技術によれば、次の効果が得られる。
【００１３】
(1) 筐体の窓部を開閉するキャップ部材が備えるロック部によりロック機能および止水機能の双方の機能が得られ、キャップ部材の設置スペースを削減できる。
【００１４】
(2) キャップ部材を構成する部品点数を削減でき、キャップ部材を簡略化することができる。
【００１５】
そして、本発明の他の目的、特徴および利点は、添付図面および各実施の形態を参照することにより、一層明確になるであろう。
【図面の簡単な説明】
【００１６】
【図１】第１の実施の形態に係る携帯端末装置および保護キャップの開状態を示す斜視図である。
【図２】図１のＡのII−II線断面を示す断面図である。
【図３】携帯端末装置の窓部を示す図である。
【図４】図３のIV−IV線断面を示す断面図である。
【図５】保護キャップを内面側から見て示す斜視図である。
【図６】図５のVI−VI線断面を示す断面図である。
【図７】窓部の立壁部と保護キャップの寸法形態を示す図である。
【図８】保護キャップの窓部に対する着脱を示す図である。
【図９】図８のIX部の拡大断面を示す図である。
【図１０】保護キャップの形成方法を示す図である。
【図１１】保護キャップの他の形成方法を示す図である。
【図１２】保護キャップの他の形成方法を示す図である。
【図１３】保護キャップの他の形成方法を示す図である。
【図１４】保護キャップの他の形成方法を示す図である。
【図１５】保護キャップの他の形成方法を示す図である。
【図１６】密着部の形状および密着構造を示す図である。
【図１７】密着部の形状および密着構造の変形例を示す図である。
【図１８】密着部の形状および密着構造の変形例を示す図である。
【図１９】第２の実施の形態に係る保護キャップの着脱構造を示す図である。
【図２０】他の実施の形態に係る保護キャップの着脱構造を示す図である。
【発明を実施するための形態】
【００１７】
〔第１の実施の形態〕
【００１８】
図１のＡは、第１の実施の形態に係る携帯端末装置を示している。この携帯端末装置２は、本開示の電子機器の一例である。この携帯端末装置２には筐体４の側面部に保護キャップ６が着脱可能に備えられている。保護キャップ６は本開示のキャップ部材の一例である。筐体４の上面側には表示部８およびタッチパネルが設置されている。この表示部８に代え、ヒンジにより可動カバーが開閉可能に取り付けられてもよいし、この可動カバーが表示部を備える可動側筐体であってもよい。
【００１９】
図１のＢは、保護キャップ６の開状態を示している。筐体４には窓部１０が形成され、この窓部１０が保護キャップ６の着脱により開閉可能である。この窓部１０には外部機器に接続されるコネクタ１２が配置されている。
【００２０】
保護キャップ６にはアーム部１４が備えられている。このアーム部１４は弾性を持ち、窓部１０を通して筐体４に着脱可能に連結されている。この筐体４に対するアーム部１４の連結強度を超える力を保護キャップ６に加えれば、筐体４からアーム部１４が外れ、保護キャップ６を筐体４と分離させることができる。
【００２１】
そして、アーム部１４を窓部１０から筐体４の内部に押し込み、保護キャップ６を窓部１０に装着すれば、窓部１０から筐体４内への水の侵入を阻止でき、筐体４を止水状態に維持することができる。
【００２２】
図２は、図１のＡのII−II線断面を示している。筐体４にはコネクタ１２が設置されている。このコネクタ１２は外部機器側のプラグとの接続側を筐体４の側面に向けて配置されている。筐体４の側面には、コネクタ１２を包囲する立壁部１６が形成されている。立壁部１６は、窓部１０の窓枠を構成している。この立壁部１６はたとえば、硬質合成樹脂で成形されている。この立壁部１６は筐体４と一体成形でもよいし、筐体４と別個の成形体で、筐体４に接着などにより固定されていてもよい。
【００２３】
この窓部１０を開閉する保護キャップ６の本体部１８には、立壁部１６に着脱可能に嵌合するロック部２０が備えられている。このロック部２０は、窓部１０の立壁部１６と嵌合し、窓部１０に保護キャップ６をロックするとともに、窓部１０を止水する。つまり、ロック部２０に窓部１０の止水部を共用させている。これにより、止水部を別構成とすることなく、ロック部２０により窓部１０に対する保護キャップ６のロック機能と、窓部１０の止水機能とが得られる。このように止水部を共用するロック部２０はたとえば、エラストマなどの弾性を備える止水材料で形成すればよい。
【００２４】
この本体部１８に設けられたアーム部１４は筐体４の挿入部２２に挿入され、筐体４に着脱可能に取り付けられている。これにより、保護キャップ６が筐体４に着脱可能に連結されている。
【００２５】
図３は筐体４の窓部１０を示している。図４は図３のIV−IV線断面を示している。窓部１０は、コネクタ１２の接続口部を周回する立壁部１６によって形成されており、この実施の形態では、角部を湾曲させた長方形形状である。この窓部１０に隣接して挿入部２２が形成されている。挿入部２２にアーム部１４が挿入され、窓部１０に保護キャップ６が装着されることにより、窓部１０が保護キャップ６の本体部１８で覆われる。
【００２６】
立壁部１６は、図４に示すように、筐体４の側面から突出して形成されている。この立壁部１６の突出長は、保護キャップ６の厚み分を内包させるクリアランスである。したがって、立壁部１６の筐体４からの突出長は保護キャップ６の厚みに応じた大きさとすればよい。
【００２７】
この立壁部１６の頂部には保護キャップ６の当接面部２４が備えられている。この当接面部２４は、保護キャップ６の本体部１８に当たり、密着させる平坦面部である。
【００２８】
窓部１０の内側には、開口壁面２６より拡開された内壁面２８が形成され、この内壁面２８と開口壁面２６との間に傾斜壁面３０が形成されている。この傾斜壁面３０は、保護キャップ６のロック部２０と密着する密着面の一例であり、ロック部２０を拘止する拘止部材の一例である。この傾斜壁面３０は開口壁面２６の開口幅より拡開する内壁面２８に向かって傾斜する傾斜面である。つまり、ロック部２０とともに、この立壁部１６の傾斜壁面３０が保護キャップ６のロック構造および止水構造を成している。
【００２９】
また、挿入部２２が窓部１０に隣接して形成されている。この挿入部２２の内側にはアーム部１４の抜けを防止する抜止め部３２が形成されている。抜止め部３２には保護キャップ６のアーム部１４が着脱可能に係止される。
【００３０】
図５は、保護キャップ６を内面側から示している。図６は、図５のVI−VI線断面を示している。保護キャップ６は、窓部１０を覆う幅および長さの本体部１８を備える。この本体部１８には筐体４側に突出する周壁部３４が備えられている。この周壁部３４の包囲部には窓部１０内に挿入され、立壁部１６に嵌合させるロック部２０が備えられる。したがって、ロック部２０はたとえば、立壁部１６と同様に、周回形状である。
【００３１】
このロック部２０には図６に示すように、支持部３６および屈曲部３８が含まれる。支持部３６は、保護キャップ６の本体部１８の裏面からたとえば、直交方向に立ち上がっており、窓部１０の開口壁面２６に挿入されて屈曲部３８を支持する。この屈曲部３８は、支持部３６から外周方向に屈曲させて拡開しており、傾斜壁面３０に密着させる密着部４０を含んでいる。この実施の形態では密着部４０が主として止水機能を果たす。エラストマなどの止水性を備える弾性材料で形成された屈曲部３８では、形状維持性を備えるとともに、弾性により屈曲可能である。
【００３２】
ロック部２０が窓部１０の立壁部１６に嵌合することにより、屈曲部３８の密着部４０が傾斜壁面３０と密着する。これにより、屈曲部３８の弾性変形によるロック機能と、窓部１０の止水機能とが得られる。
【００３３】
本体部１８の内面側にはアーム部１４が取り付けられている。このアーム部１４は、本体部１８の長手方向に突出している。このアーム部１４の端部側には、本体部１８の外面側に向かって突出する凸部４２が備えられ、この凸部４２が窓部１０側の抜止め部３２に係止される。これにより、保護キャップ６が筐体４に着脱可能に連結される。
【００３４】
図７は、保護キャップ６および窓部１０の寸法設定を示している。保護キャップ６のロック部２０の密着部４０の拡開幅をＸＡ、本体部１８の内面から突出する密着部４０の突出長をＹＡとする。これに対し、筐体４側の窓部１０の拡開幅をＸＢ、当接面部２４から傾斜壁面３０を含む立壁部１６の高さをＹＢとする。
【００３５】
これら部材の大小関係はたとえば、
ＸＡ＞ＸＢ
ＹＡ＞ＹＢ
ＸＡ−ＸＢ＝２×ΔＸ＞０
の寸法関係に設定すればよい。斯かる寸法設定とすれば、窓部１０との嵌合により、保護キャップ６のロック機能と止水機能とが得られる。この場合、傾斜壁面３０の傾斜角度をθ１、屈曲部３８の傾斜角度をθ２とすれば、たとえば、
θ１≧θ２
とすればよい。
【００３６】
このような寸法関係により、ロック部２０が持つ弾性材料によるバネ特性を生かしたロック機能と止水機能とが得られる。
【００３７】
＜保護キャップ６の着脱＞
【００３８】
図８のＡは、保護キャップ６の装着前の窓部１０および保護キャップ６を示している。窓部１０に隣接する挿入部２２に保護キャップ６側のアーム部１４を挿入し、窓部１０に保護キャップ６のロック部２０の屈曲部３８を対向させる。既述のように、屈曲部３８の拡開幅ＸＡは、窓部１０の拡開幅ＸＢに対し、２×ΔＸだけ大きい。そこで、屈曲部３８の弾性を利用して屈曲部３８を屈曲変形させることにより、窓部１０に屈曲部３８を挿入する。
【００３９】
図８のＢは、窓部１０に対する保護キャップ６の屈曲部３８の挿入途上状態を示している。この状態から保護キャップ６の本体部１８に対し筐体４の方向に力を加えると、屈曲部３８が立壁部１６の開口壁面２６を滑らせ、傾斜壁面３０に到達させる。二点鎖線で示すロック部２０は、挿入前の原形状を示している。
【００４０】
図８のＣは、保護キャップ６の屈曲部３８が窓部１０側の傾斜壁面３０に到達した状態を示している。屈曲部３８は、開口壁面２６側での一時的な圧縮状態から開口壁面２６より拡開されている傾斜壁面３０側の圧縮状態に遷移する。つまり、傾斜壁面３０側に到達した状態では、開口壁面２６よりは圧縮状態が緩和されるものの、圧縮状態で密着状態が維持される。
【００４１】
図９は、図８のIX部を拡大して示している。屈曲部３８は密着部４０により傾斜壁面３０と面接触により密着する。この面接触には、密着部４０による密着面積が得られ、屈曲部３８の屈曲状態からの復元力が作用する。この密着状態により、屈曲部３８は止水材料が持つ弾性により、傾斜壁面３０に拘止されてロック機能が得られるとともに止水機能が得られる。
【００４２】
このように、ロック部２０は弾性材料によるバネ性を備えているので、筺体４の窓部１０への挿入時、窓部１０の立壁部１６の形状に応じて屈曲する。この屈曲状態からバネ性による復元力の作用で筺体４側の傾斜壁面３０と密着する。これにより、ロック部２０のロック機能と止水機能が得られる。つまり、ロック機能により保護キャップ６を筺体４の窓部１０に固定でき、止水機能により窓部１０の止水を行うことができる。
【００４３】
＜保護キャップ６の形成＞
【００４４】
図１０は、保護キャップ６のひとつの形成方法を示している。図１０のＡに示すように、本体部１８を成形し、この本体部１８に別部材であるたとえば、予め成形したアーム部１４が２色成形により形成されている。この場合、本体部１８とアーム部１４を一体成形としてもよい。本体部１８はたとえば、硬質合成樹脂や柔軟性合成樹脂で形成される。アーム部１４は弾性材料の一例としてたとえば、シリコンゴムやエラストマなどの軟質合成樹脂で形成すればよい。
【００４５】
この本体部１８およびアーム部１４を図１０のＢに示すように、成形型４４−１、４４−２のキャビティ４６に設置し、たとえば、成形型４４−１側に形成されている成形キャビティ４８内に止水材料４９を注入する。止水材料４９はたとえば、エラストマまたはシリコンゴムなどの弾性材料である。
【００４６】
これにより、図１０のＣに示すように、ロック部２０が成形され、本体部１８に一体的に形成される。斯かる形成方法では、本体部１８を硬質合成樹脂、アーム部１４を軟質合成樹脂による２色成形とし、硬質合成樹脂からなる本体部１８にロック部２０を止水材料により２色成形で溶着することができる。
【００４７】
図１１は、保護キャップ６の他の形成方法を示している。図１１において、図１０と同一部分には同一符号を付してある。この形成方法では、図１１のＡおよびＢに示すように、硬質合成樹脂からなる本体部１８にロック部２０の形成位置に平坦状の凸部５０を形成し、この凸部５０の周囲部に２色成形によりロック部２０を成形してもよい。この場合、成形型４４−１側には凸部５０を内包するキャビティ４６を形成すればよい。なお、ロック部２０のサポート手段である凸部５０はロック部２０の内側全周部に形成してもよく、部分的に形成してもよい。
【００４８】
このように、本体部１８と同様の硬質合成樹脂から成る凸部５０を備えれば、図１１のＣに示すように、保護キャップ６の本体部１８を凸部５０でサポートできるとともに、本体部１８に形成されるロック部２０の支持部３６を補強できる。斯かる構成では、保護キャップ６のロック部２０の経年劣化を抑制でき、または塑性変形を防止できる。
【００４９】
図１２は、保護キャップ６の他の形成方法を示している。図１２において、図１０と同一部分には同一符号を付してある。図１２のＡに示すように、本体部１８を成形し、この本体部１８に別部材であるたとえば、予め成形したアーム部１４が取り付けられる。本体部１８にはロック部２０の設置部位に凹部５２を形成する。
【００５０】
この本体部１８に取り付けるロック部２０を図１２のＢに示すように、止水材料としてたとえば、エラストマで成形する。
【００５１】
そして、図１２のＣに示すように、保護キャップ６の本体部１８の凹部５２に接着剤５４を設置し、この接着剤５４によりロック部２０を接着する。このように、本体部１８に接着によりロック部２０を取り付けてもよい。斯かる形成方法では、本体部１８を硬質合成樹脂、アーム部１４を軟質合成樹脂による２色成形とし、硬質合成樹脂からなる本体部１８にロック部２０を止水材料により２色成形で接着することができる。
【００５２】
図１３は、保護キャップ６の他の形成方法を示している。図１３において、図１２と同一部分には同一符号を付してある。図１３のＡに示すように、本体部１８にはロック部２０の設置部位に凹部５２を形成する。この本体部１８に取り付けるロック部２０は、図１３のＢに示すように、止水材料４９（図１０、図１１）としてたとえば、エラストマやシリコンゴムで成形し、固定面部５６を備えてもよい。
【００５３】
図１３のＣに示すように、保護キャップ６の本体部１８の凹部５２に接着剤５４を設置し、ロック部２０の固定面部５６を接着剤５４により本体部１８に接着してもよい。このように固定面部５６を備えれば、本体部１８とロック部２０との接着面が拡大されるので、ロック部２０の固定強度を高めることができる。
【００５４】
図１４は、保護キャップ６の他の形成方法を示している。図１４において、図１０と同一部分には同一符号を付してある。
【００５５】
図１４のＡに示すように、成形型４４−１、４４−２に保護キャップ６の本体部１８およびアーム部１４を含む成形キャビティ５８を形成する。この成形キャビティ５８により、硬質の止水材料５１により本体部１８およびアーム部１４を一体に成形する。
【００５６】
ロック部２０の成形には、図１４のＢに示すように、成形型４５−１、４５−２を使用する。成形型４５−１、４５−２には本体部１８およびアーム部１４を収容するキャビティ４６を備え、成形型４５−１にはロック部２０の成形キャビティ４８を備える。この成形キャビティ４８に止水材料であるたとえば、エラストマを充填してもよい。
【００５７】
これにより、図１４のＣに示すように、アーム部１４を一体に成形した本体部１８にロック部２０を２色成形により形成することができる。斯かる構成では、保護キャップ６を構成する部品点数を削減でき、簡略化された成形処理により、止水機能とロック機能とを備える保護キャップ６を実現できる。
【００５８】
図１５は、保護キャップ６の他の形成方法を示している。図１５において、図１１と同一部分には同一符号を付してある。
【００５９】
図１５のＡに示すように、保護キャップ６の本体部１８のみを合成樹脂で成形する。
【００６０】
アーム部１４およびロック部２０の成形には、図１５のＢに示すように、成形型４７−１、４７−２を使用する。成形型４７−１、４７−２には本体部１８を収容するキャビティ４６を備え、成形型４７−１にはロック部２０の成形キャビティ４８−１、アーム部１４の成形キャビティ４８−２を備える。この成形キャビティ４８−１、４８−２にエラストマやシリコンゴムなどの止水材料４９を充填する。
【００６１】
これにより、図１５のＣに示すように、本体部１８にアーム部１４およびロック部２０を２色成形により形成することができる。斯かる構成では、保護キャップ６を構成する部品点数を削減でき、簡略化された成形処理により、止水機能とロック機能とを備える保護キャップ６を実現できる。しかも、ばね性を備えるロック部２０およびアーム部１４を同一材料で形成でき、この同一材料化により、止水部を共用するロック部２０がより強化され、ロック部２０の損傷を防止できる。
【００６２】
＜密着部４０の形成＞
【００６３】
図１６は、屈曲部３８と傾斜壁面３０との密着構造を示している。図９に示す屈曲部３８の密着部４０と傾斜壁面３０との密着形態は、密着部４０の平坦面による面接触を例示しているのに対し、図１６のＡでは、傾斜壁面３０に対し、屈曲部３８の密着部４０を円弧面とした点接触としている。このような点接触によっても、接触部ないし密着部の面圧を高めることができる。図１６のＢに示すように、屈曲部３８の密着部４０が傾斜壁面３０との点接触により密着し、ロック機能および止水機能が得られる。
【００６４】
図１７は、屈曲部３８と傾斜壁面３０との他の密着構造を示している。図１７のＡに示すように、傾斜壁面３０側にＶ字状の凹部６０を形成してもよい。これに対し、屈曲部３８の密着部４０には凹部６０に嵌合するＶ字状の凸部６２を形成すれば、図１７のＢに示すように、凹部６０と凸部６２との嵌合に、屈曲部３８の弾性変形による圧着状態を加え、止水機能とロック機能とを得てもよい。斯かる構成では、止水機能およびロック機能をより高めることができる。この場合、凹部６０を屈曲部３８側に形成し、凸部６２を傾斜壁面３０側に形成してもよい。
【００６５】
図１８は、屈曲部３８と傾斜壁面３０との他の密着構造を示している。図１８のＡに示すように、傾斜壁面３０側に四角形状の凹部６４を形成してもよい。これに対し、屈曲部３８の密着部４０には凹部６４に嵌合する四角形状の凸部６６を形成すれば、図１８のＢに示すように、凹部６４と凸部６６との嵌合に、屈曲部３８の弾性変形による圧着状態を加え、止水機能とロック機能とを得てもよい。斯かる構成によっても、止水機能およびロック機能をより高めることができる。この場合、凹部６４を屈曲部３８側に形成し、凸部６６を傾斜壁面３０側に形成してもよい。
【００６６】
＜第１の実施の形態の効果＞
【００６７】
(1) 従来の保護キャップ（防水キャップ）では本体部１８、アーム部１４のほかロック構造部に止水構造部を別個に備え、硬質部材と軟質部材とを２色成形したうえ、止水構造部をシリコンにより追加成形していた。これに対し、上記実施の形態ではロック部２０が止水部を共用し、アーム部１４とロック部２０とは共通の軟質止水材料の利用が可能である。このため、保護キャップ６の部品点数の削減や、成形工程の共通化により、構造および製造工程の簡略化が図られている。たとえば、単一の２色成形により保護キャップ６の製造が可能である。
【００６８】
(2) ロック部２０に屈曲部３８を備え、この屈曲部３８が備える止水材料の弾性（ばね性）により、ロック部２０が止水部を共用している。つまり、ロック機能および止水機能の双方を単一のロック部２０で実現している。このため、ロック構造および止水構造を簡略化でき、携帯端末装置２の筐体４に対する保護キャップ６の設置スペースを削減できる。
【００６９】
(3) 止水機能とロック機能が一体であるため、ロック機能が得られていなければ、止水機能は劣化するので、ロック機能が維持されていても止水機能のみが低下するといった不都合がない。
【００７０】
(4) 保護キャップ６には、止水部と別個にロック用の固定爪などの専用の固定構造を設置する必要がなく、その固定爪の防水性に配慮する必要もなく、筐体４には固定および止水を行う各部材のための設置スペースが不要となる。これにより、筐体４の小型化や薄型化が図られ、携帯端末装置２などの電子機器の小型化、薄型化に寄与する。
【００７１】
(5) 止水部を共用するロック部２０では、ロック操作で止水機能が得られるので、ロック操作を適正に行えば、必要な止水機能が得られ、従前のロック状態でも止水性が損なわれるおそれなどの不安を解消できる。
【００７２】
(6) 保護キャップ６は、アーム部１４、本体部１８およびロック部２０を備えており、これら部材を上記形成方法により、単純な２色成形により形成できる。このため、保護キャップ６の製造コストの低減や製造時間の短縮を図ることができる。
【００７３】
(7) 柔軟性を備えるロック部２０およびアーム部１４を同素材化することができ、製造を簡略化および強化することができる。たとえば、ロック部２０にエラストマ素材を使用すれば、止水構造に適した潰し性を確保でき、弾性材形状に肉盗みを実施すれば、エラストマ素材を用いて弾性特性を高めることができる。つまり、止水性およびロック性の双方を充足できる。
【００７４】
(8) ロック部２０およびアーム部１４の同素材化で、素材、成形処理、工程の管理を簡略化でき、コストダウンに寄与する。
【００７５】
(9) ロック部２０が共用する止水部はロック機能を果たすために強化され、結果として損傷に対する強度が増し、ユーザの取り扱いによる損傷から止水機能を防護できる。これにより、製品の信頼性が高められる。
【００７６】
〔第２の実施の形態〕
【００７７】
図１９は、第２の実施の形態に係る携帯端末装置２の筐体４と保護キャップ６との着脱構造を示している。
【００７８】
上記実施の形態では、保護キャップ６のロック部２０が窓部１０内に挿入されて嵌合する構成であるのに対し、図１９に示すように、保護キャップ６のロック部２０を窓部１０の立壁部１６の外側に嵌合させてもよい。
【００７９】
この実施の形態では、ロック部２０の湾曲方向が第１の実施の形態と反対方向であり、ロック部２０の屈曲部３８が当たる傾斜壁面３０が立壁部１６の外周部に形成する。斯かる構成によっても、上記実施の形態と同様に、屈曲部３８により止水機能とロック機能とが得られる。
【００８０】
〔他の実施の形態〕
【００８１】
(1) 図２０は、他の実施の形態に係る携帯端末装置２の筐体４および保護キャップ６を示している。上記実施の形態では、ロック部２０の外側にアーム部１４を備えているが、アーム部１４を本体部１８のロック部２０の内側面部に備えてもよい。斯かる構成とすれば、保護キャップ６でアーム部１４の挿入部２２を覆うことができる。
【００８２】
(2) 上記実施の形態では、携帯端末装置２を例示しているが、保護キャップ６を着脱させる電子機器であればよく、スマートフォン、タブレット端末、電子ゲーム機、カメラなどであってもよい。
【００８３】
以上説明したように、本開示の技術の最も好ましい実施の形態などについて説明した。本発明は上記記載に限定されるものではない。特許請求の範囲に記載され、または発明を実施するための形態に開示された発明の要旨に基づき、当業者において様々な変形や変更が可能である。斯かる変形や変更が本発明の範囲に含まれることは言うまでもない。
【符号の説明】
【００８４】
２  携帯端末装置
４  筐体
６  保護キャップ
８  表示部
１０  窓部
１２  コネクタ
１４  アーム部
１６  立壁部
１８  本体部
２０  ロック部（止水部）
２２  挿入部
２４  当接面部
２６  開口壁面
２８  内壁面
３０  傾斜壁面
３２  抜止め部
３４  周壁部
３６  支持部
３８  屈曲部
４０  密着部
４２  凸部
４４−１、４４−２  成形型
４６  キャビティ
４７−１、４７−２  成形型
４８、４８−１、４８−２  成形キャビティ
４９、５１  止水材料
５０  凸部
５２  凹部
５４  接着剤
５６  固定面部
５８  成形キャビティ
６０  凹部
６２  凸部
６４  凹部
６６  凸部
【図１】
2014222732.tif 000003
【図２】
2014222732.tif 000004
【図３】
2014222732.tif 000005
【図４】
2014222732.tif 000006
【図５】
2014222732.tif 000007
【図６】
2014222732.tif 000008
【図７】
2014222732.tif 000009
【図８】
2014222732.tif 000010
【図９】
2014222732.tif 000011
【図１０】
2014222732.tif 000012
【図１１】
2014222732.tif 000013
【図１２】
2014222732.tif 000014
【図１３】
2014222732.tif 000015
【図１４】
2014222732.tif 000016
【図１５】
2014222732.tif 000017
【図１６】
2014222732.tif 000018
【図１７】
2014222732.tif 000019
【図１８】
2014222732.tif 000020
【図１９】
2014222732.tif 000021
【図２０】
2014222732.tif 000022